【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
ページ監視周期の構成を受信することと、ここにおいて、前記ページ監視周期は、前記ページ監視周期の前記構成に少なくとも部分的に基づいて１つまたは複数の無線リソース管理測定周期を含む、
起動信号の構成を受信することと、
起動信号周期に少なくとも部分的に基づいて複数の起動信号の間欠監視を行うことと、
ある無線リソース管理測定周期と前記ページ監視周期、または前記起動信号周期、または受信された起動信号、またはそれらの組合せに従ってページ監視期間中にページングメッセージを監視することと、ここにおいて、前記無線リソース管理測定周期は、前記ページ監視周期の前記１つまたは複数の無線リソース管理測定周期に関連する、
を備える、方法。
【請求項２】
前記起動信号周期に少なくとも部分的に基づいて前記起動信号を受信すること
をさらに備える、請求項１に記載の方法。
【請求項３】
前記ページ監視周期の前記構成を受信することは、
システム情報メッセージ、または無線リソース制御（ＲＲＣ）メッセージ、または非アクセス層（ＮＡＳ）メッセージ、またはそれらの組合せを介して前記ページ監視周期の前記構成を受信すること
を備える、請求項１に記載の方法。
【請求項４】
前記起動信号が少なくとも１回スキップされた時間期間に少なくとも部分的に基づいて前記ページングメッセージを監視すること
をさらに備える、請求項１に記載の方法。
【請求項５】
前記ページ監視周期と１つまたは複数の他のパラメータとの間の関係に少なくとも部分的に基づいて前記ページ監視周期の前記構成を識別すること
をさらに備える、請求項１に記載の方法。
【請求項６】
前記ページングメッセージを監視することは、
前記ページ監視周期と１つまたは複数の他のパラメータとの間の関係に少なくとも部分的に基づいて前記ページングメッセージを監視すること
をさらに備える、請求項５に記載の方法。
【請求項７】
前記監視することに少なくとも部分的に基づいて前記ページ監視期間中に前記ページングメッセージを検出すること、ここにおいて、前記ページングメッセージは、前記受信された起動信号に少なくとも部分的に基づいて検出される、
をさらに備える、請求項１に記載の方法。
【請求項８】
ターゲットセルへのハンドオーバを行うことと、
前記ターゲットセルのためのページ監視周期、または前記ターゲットセルのための起動信号周期、または前記ターゲットセルからの受信された起動信号、またはそれらの組合せに従って前記ターゲットセルからの１つまたは複数のページングメッセージを監視することと
をさらに備える、請求項１に記載の方法。
【請求項９】
検出されたページングメッセージに少なくとも部分的に基づいてシステム情報変更通知を識別すること
をさらに備える、請求項１に記載の方法。
【請求項１０】
基地局におけるワイヤレス通信のための方法であって、
ページングメッセージを監視するようにユーザ機器（ＵＥ）を構成するためのページ監視周期を決定することと、
複数の起動信号のための起動信号周期を決定することであって、前記起動信号周期は、前記ページ監視周期以下である、決定することと、
前記ＵＥに前記ページ監視周期の構成を送信することと、ここにおいて、前記構成は、前記ページ監視周期と前記起動信号周期との間の関係を示す、
前記構成内で、前記ページ監視周期が１つまたは複数の無線リソース管理測定周期を備えるという指示を送信することと
を備える、方法。
【請求項１１】
前記ページ監視周期の前記構成を送信することは、
システム情報メッセージ、または無線リソース制御（ＲＲＣ）メッセージ、または非アクセス層（ＮＡＳ）メッセージ、またはそれらの組合せを介して前記ページ監視周期の前記構成を送信すること
を備える、請求項１０に記載の方法。
【請求項１２】
前記ページングメッセージ内でシステム情報変更通知を送信すること
をさらに備える、請求項１０に記載の方法。
【請求項１３】
ワイヤレス通信のための装置であって、
ページ監視周期の構成および起動信号の構成を受信するように構成された受信機と、ここにおいて、前記ページ監視周期は、前記ページ監視周期の前記構成に少なくとも部分的に基づいて１つまたは複数の無線リソース管理測定周期を含む、
プロセッサと、
前記プロセッサと電子通信しているメモリと、
前記メモリに記憶され、前記装置に、
起動信号周期に少なくとも部分的に基づいて複数の起動信号の間欠監視を行うことと、
ある無線リソース管理測定周期と前記ページ監視周期、または前記起動信号周期、または受信された起動信号、またはそれらの組合せに従ってページ監視期間中にページングメッセージを監視することと、ここにおいて、前記無線リソース管理測定周期は、前記ページ監視周期の前記１つまたは複数の無線リソース管理測定周期に関連する、
をさせるために前記プロセッサによって実行可能な命令と、
を備える、装置。
【請求項１４】
前記受信機は、
前記起動信号周期に少なくとも部分的に基づいて前記起動信号を受信するように構成される、請求項１３に記載の装置。
【請求項１５】
前記受信機は、
システム情報メッセージ、または無線リソース制御（ＲＲＣ）メッセージ、または非アクセス層（ＮＡＳ）メッセージ、またはそれらの組合せを介して前記ページ監視周期の前記構成を受信するように構成される、請求項１３に記載の装置。
【請求項１６】
前記命令は、前記装置に、
前記起動信号が少なくとも１回スキップされた時間期間に少なくとも部分的に基づいて前記ページングメッセージを監視することをさせるために前記プロセッサによってさらに実行可能である、請求項１３に記載の装置。
【請求項１７】
前記命令は、前記装置に、
前記ページ監視周期と１つまたは複数の他のパラメータとの間の関係に少なくとも部分的に基づいて前記ページ監視周期の前記構成を識別することをさせるために前記プロセッサによってさらに実行可能である、請求項１３に記載の装置。
【請求項１８】
前記装置に、前記ページングメッセージを監視することをさせるために前記プロセッサによって実行可能である前記命令は、
前記装置に、前記ページ監視周期と１つまたは複数の他のパラメータとの間の関係に少なくとも部分的に基づいて前記ページングメッセージを監視することをさせるために前記プロセッサによって実行可能な命令を備える、請求項１７に記載の装置。
【請求項１９】
前記命令は、前記装置に、
前記監視することに少なくとも部分的に基づいて前記ページ監視期間中に前記ページングメッセージを検出すること
をさせるために前記プロセッサによってさらに実行可能である、ここにおいて、前記ページングメッセージが、前記受信された起動信号に少なくとも部分的に基づいて検出される、請求項１３に記載の装置。
【請求項２０】
前記命令は、前記装置に、
ターゲットセルへのハンドオーバを行うこと、
前記ターゲットセルのためのページ監視周期、または前記ターゲットセルのための起動信号周期、または前記ターゲットセルからの受信された起動信号、またはそれらの組合せに従って前記ターゲットセルからの１つまたは複数のページングメッセージを監視することと
をさせるために前記プロセッサによってさらに実行可能である、請求項１３に記載の装置。
【請求項２１】
前記命令は、前記装置に、
検出されたページングメッセージに少なくとも部分的に基づいてシステム情報変更通知を識別すること
をさせるために前記プロセッサによってさらに実行可能である、請求項１３に記載の装置。
【請求項２２】
ワイヤレス通信のための装置であって、
プロセッサと、
前記プロセッサと電子通信しているメモリと、
前記メモリに記憶され、前記装置に、
ページングメッセージを監視するようにユーザ機器（ＵＥ）を構成するためのページ監視周期を決定することと、
複数の起動信号のための起動信号周期を決定することであって、前記起動信号周期は、前記ページ監視周期以下である、決定することと
をさせるために前記プロセッサによって実行可能な命令と、
前記ＵＥに前記ページ監視周期の構成を送信することとと、ここにおいて、前記構成は、前記ページ監視周期と前記起動信号周期との間の関係を示す、
前記構成内で、前記ページ監視周期が１つまたは複数の無線リソース管理測定周期を備えるという指示を送信することと
をするように構成された送信機と
を備える、装置。
【請求項２３】
前記送信機は、
システム情報メッセージ、または無線リソース制御（ＲＲＣ）メッセージ、または非アクセス層（ＮＡＳ）メッセージ、またはそれらの組合せを介して前記ページ監視周期の前記構成を送信するように構成される、請求項２２に記載の装置。
【請求項２４】
前記送信機は、
前記ページングメッセージ内でシステム情報変更通知を送信するように構成される、請求項２２に記載の装置。
【請求項２５】
ワイヤレス通信のための装置であって、
ページ監視周期の構成を受信するための手段と、ここにおいて、前記ページ監視周期は、前記ページ監視周期の前記構成に少なくとも部分的に基づいて１つまたは複数の無線リソース管理測定周期を含む、
起動信号の構成を受信するための手段と、
起動信号周期に少なくとも部分的に基づいて複数の起動信号の間欠監視を行うための手段と、
ある無線リソース管理測定周期と前記ページ監視周期、または前記起動信号周期、または受信された起動信号、またはそれらの組合せに従ってページ監視期間中にページングメッセージを監視するための手段と、ここにおいて、前記無線リソース管理測定周期は、前記ページ監視周期の前記１つまたは複数の無線リソース管理測定周期に関連する、
を備える、装置。
【請求項２６】
ワイヤレス通信のための装置であって、
ページングメッセージを監視するようにユーザ機器（ＵＥ）を構成するためのページ監視周期を決定するための手段と、
複数の起動信号のための起動信号周期を決定するための手段であって、前記起動信号周期は、前記ページ監視周期以下である、決定するための手段と、
前記ＵＥに前記ページ監視周期の構成を送信するための手段と、ここにおいて、前記構成は、前記ページ監視周期と前記起動信号周期との間の関係を示す、
前記構成内で、前記ページ監視周期が１つまたは複数の無線リソース管理測定周期を備えるという指示を送信するための手段と
を備える、装置。
【請求項２７】
ワイヤレス通信のためのコードを記憶する非一時的コンピュータ可読媒体であって、前記コードは、
ページ監視周期の構成を受信することと、ここにおいて、前記ページ監視周期は、前記ページ監視周期の前記構成に少なくとも部分的に基づいて１つまたは複数の無線リソース管理測定周期を含む、
起動信号の構成を受信することと、
起動信号周期に少なくとも部分的に基づいて複数の起動信号の間欠監視を行うことと、
ある無線リソース管理測定周期と前記ページ監視周期、または前記起動信号周期、または受信された起動信号、またはそれらの組合せに従ってページ監視期間中にページングメッセージを監視することと、ここにおいて、前記無線リソース管理測定周期は、前記ページ監視周期の前記１つまたは複数の無線リソース管理測定周期に関連する、
を行うようにプロセッサによって実行可能な命令を備える、
非一時的コンピュータ可読媒体。
【請求項２８】
ワイヤレス通信のためのコードを記憶する非一時的コンピュータ可読媒体であって、前記コードは、
ページングメッセージを監視するようにユーザ機器（ＵＥ）を構成するためのページ監視周期を決定することと、
複数の起動信号のための起動信号周期を決定することであって、前記起動信号周期は、前記ページ監視周期以下である、決定することと、
前記ＵＥに前記ページ監視周期の構成を送信することと、ここにおいて、前記構成は、前記ページ監視周期と前記起動信号周期との間の関係を示す、
前記構成内で、前記ページ監視周期が１つまたは複数の無線リソース管理測定周期を備えるという指示を送信することと
を行うようにプロセッサによって実行可能な命令を備える、
非一時的コンピュータ可読媒体。
【手続補正２】
【補正対象書類名】明細書
【補正対象項目名】０２１７
【補正方法】変更
【補正の内容】
【０２１７】
[0225]  本明細書の説明は、当業者が本開示を作成または使用することを可能にするように提供される。本開示への様々な変更は当業者には容易に明らかとなり、本明細書で定義された一般原理は、本開示の範囲から逸脱することなく他の変形形態に適用され得る。従って、本開示は、本明細書に記載された例および設計に限定されず、本明細書で開示された原理および新規の特徴に合致する最も広い範囲を与えられるべきである。
以下に本願の出願当初の特許請求の範囲に記載された発明を付記する。
[Ｃ１]  ユーザ機器（ＵＥ）におけるワイヤレス通信のための方法であって、
ページ監視周期の構成を受信することと、
起動信号の構成を受信することと、
起動信号周期に少なくとも部分的に基づいて複数の起動信号の間欠監視を行うことと、
前記ページ監視周期、または前記起動信号周期、または受信された起動信号、またはそれらの組合せに従ってページ監視期間中にページングメッセージを監視することと
を備える、方法。
[Ｃ２]  前記起動信号周期に少なくとも部分的に基づいて前記起動信号を受信すること
をさらに備える、Ｃ１に記載の方法。
[Ｃ３]  前記ページ監視周期が前記構成に基づいて１つまたは複数のページングオケージョン（ＰＯ）を備えると決定することと、ここにおいて、前記起動信号周期が、前記１つまたは複数のＰＯに対応する、
ＰＯ周期、または前記受信された起動信号、またはそれらの組合せに従って前記ページングメッセージを監視することと
をさらに備える、Ｃ１に記載の方法。
[Ｃ４]  前記ページ監視周期が前記構成に少なくとも部分的に基づいて１つまたは複数の起動信号オケージョンを備えると決定することと、ここにおいて、前記起動信号周期が、１つまたは複数のページングオケージョン（ＰＯ）を含むページング時間ウィンドウ（ＰＴＷ）周期に対応する、
前記ＰＴＷ周期、または前記受信された起動信号、またはそれらの組合せに従って前記ページングメッセージを監視することと
をさらに備える、Ｃ１に記載の方法。
[Ｃ５]  前記ページ監視周期が前記構成に少なくとも部分的に基づいて１つまたは複数の起動信号オケージョンを備えると決定することと、ここにおいて、前記起動信号周期が、１つまたは複数のページングオケージョン（ＰＯ）に対応する、
前記１つまたは複数のＰＯ、または前記受信された起動信号、またはそれらの組合せに従って前記ページングメッセージを監視することと
をさらに備える、Ｃ１に記載の方法。
[Ｃ６]  前記ページ監視周期が前記構成に少なくとも部分的に基づいて１つまたは複数の無線リソース管理（ＲＲＭ）測定期間を備えると決定することと、
ＲＲＭ測定周期に従って前記ページングメッセージを監視することと
をさらに備える、Ｃ１に記載の方法。
[Ｃ７]  前記ページ監視周期が前記構成に少なくとも部分的に基づいて１つまたは複数のブロードキャスト制御チャネル（ＢＣＣＨ）変更期間を備えると決定することと、
ＢＣＣＨ変更期間に従って、前記ページングメッセージ、またはシステム情報ブロック、またはマスタ情報ブロック（ＭＩＢ）、またはそれらの組合せを監視することと
をさらに備える、Ｃ１に記載の方法。
[Ｃ８]  前記ページ監視周期の前記構成を受信することが、
システム情報メッセージ、または無線リソース制御（ＲＲＣ）メッセージ、または非アクセス層（ＮＡＳ）メッセージ、またはそれらの組合せを介して前記ページ監視周期の前記構成を受信すること
を備える、Ｃ１に記載の方法。
[Ｃ９]  前記起動信号が少なくとも１回スキップされた時間期間に少なくとも部分的に基づいて前記ページ監視周期の前記構成を識別すること
をさらに備える、Ｃ１に記載の方法。
[Ｃ１０]  前記ページ監視周期と１つまたは複数の他のパラメータとの間の関係に少なくとも部分的に基づいて前記ページ監視周期の前記構成を識別すること
をさらに備える、Ｃ１に記載の方法。
[Ｃ１１]  前記監視することに少なくとも部分的に基づいて前記ページ監視期間中に前記ページングメッセージを検出すること、ここにおいて、前記ページングメッセージが、前記受信された起動信号に少なくとも部分的に基づいて検出される、
をさらに備える、Ｃ１に記載の方法。
[Ｃ１２]  ターゲットセルへのハンドオーバを行うことと、
前記ターゲットセルのためのページ監視周期、または前記ターゲットセルのための起動信号周期、または前記ターゲットセルからの受信された起動信号、またはそれらの組合せに従って前記ターゲットセルからの１つまたは複数のページングメッセージを監視することと
をさらに備える、Ｃ１に記載の方法。
[Ｃ１３]  検出されたページングメッセージに少なくとも部分的に基づいてシステム情報変更通知を識別すること
をさらに備える、Ｃ１に記載の方法。
[Ｃ１４]  基地局におけるワイヤレス通信のための方法であって、
ページングメッセージを監視するようにユーザ機器（ＵＥ）を構成するためのページ監視周期を決定することと、
複数の起動信号のための起動信号周期を決定することと、前記起動信号周期が、前記ページ監視周期以下である、
前記ＵＥに前記ページ監視周期の構成を送信することと、ここにおいて、前記構成が、前記ページ監視周期と前記起動信号周期との間の関係を示す、
を備える、方法。
[Ｃ１５]  前記構成内で、前記ページ監視周期が１つまたは複数のページングオケージョン（ＰＯ）を備えるという指示を送信すること、ここにおいて、前記起動信号周期が、前記１つまたは複数のＰＯに対応する、
をさらに備える、Ｃ１４に記載の方法。
[Ｃ１６]  前記構成内で、前記ページ監視周期が１つまたは複数の起動信号オケージョンを備えるという指示を送信すること、ここにおいて、前記起動信号周期が、１つまたは複数のページングオケージョン（ＰＯ）を含むページング時間ウィンドウ（ＰＴＷ）周期に対応する、
をさらに備える、Ｃ１４に記載の方法。
[Ｃ１７]  前記構成内で、前記ページ監視周期が前記構成に少なくとも部分的に基づいて１つまたは複数の起動信号オケージョンを備えるという指示を送信すること、ここにおいて、前記起動信号周期が、１つまたは複数のページングオケージョン（ＰＯ）に対応する、
をさらに備える、Ｃ１４に記載の方法。
[Ｃ１８]  前記構成内で、前記ページ監視周期が１つまたは複数の無線リソース管理（ＲＲＭ）測定期間を備えるという指示を送信すること
をさらに備える、Ｃ１４に記載の方法。
[Ｃ１９]  前記構成内で、前記ページ監視周期が１つまたは複数のブロードキャスト制御チャネル（ＢＣＣＨ）変更期間を備えるという指示を送信すること
をさらに備える、Ｃ１４に記載の方法。
[Ｃ２０]  前記ページ監視周期の前記構成を送信することが、
システム情報メッセージ、または無線リソース制御（ＲＲＣ）メッセージ、または非アクセス層（ＮＡＳ）メッセージ、またはそれらの組合せを介して前記ページ監視周期の前記構成を送信すること
を備える、Ｃ１４に記載の方法。
[Ｃ２１]  前記ページングメッセージ内でシステム情報変更通知を送信すること
をさらに備える、Ｃ１４に記載の方法。
[Ｃ２２]  ワイヤレス通信のための装置であって、
ページ監視周期の構成を受信するための手段と、
起動信号の構成を受信するための手段と、
起動信号周期に少なくとも部分的に基づいて複数の起動信号の間欠監視を行うための手段と、
前記ページ監視周期、または前記起動信号周期、または受信された起動信号、またはそれらの組合せに従ってページ監視期間中にページングメッセージを監視するための手段と
を備える、装置。
[Ｃ２３]  前記起動信号周期に少なくとも部分的に基づいて前記起動信号を受信するための手段
をさらに備える、Ｃ２２に記載の装置。
[Ｃ２４]  前記ページ監視周期が前記構成に基づいて１つまたは複数のページングオケージョン（ＰＯ）を備えると決定するための手段と、ここにおいて、前記起動信号周期が、前記１つまたは複数のＰＯに対応する、
ＰＯ周期、または前記受信された起動信号、またはそれらの組合せに従って前記ページングメッセージを監視するための手段と
をさらに備える、Ｃ２２に記載の装置。
[Ｃ２５]  前記ページ監視周期が前記構成に少なくとも部分的に基づいて１つまたは複数の起動信号オケージョンを備えると決定するための手段と、ここにおいて、前記起動信号周期が、１つまたは複数のページングオケージョン（ＰＯ）を含むページング時間ウィンドウ（ＰＴＷ）周期に対応する、
前記ＰＴＷ周期、または前記受信された起動信号、またはそれらの組合せに従って前記ページングメッセージを監視するための手段と
をさらに備える、Ｃ２２に記載の装置。
[Ｃ２６]  前記ページ監視周期が前記構成に少なくとも部分的に基づいて１つまたは複数の起動信号オケージョンを備えると決定するための手段と、ここにおいて、前記起動信号周期が、１つまたは複数のページングオケージョン（ＰＯ）に対応する、
前記１つまたは複数のＰＯ、または前記受信された起動信号、またはそれらの組合せに従って前記ページングメッセージを監視するための手段と
をさらに備える、Ｃ２２に記載の装置。
[Ｃ２７]  前記ページ監視周期が前記構成に少なくとも部分的に基づいて１つまたは複数の無線リソース管理（ＲＲＭ）測定期間を備えると決定するための手段と、
ＲＲＭ測定周期に従って前記ページングメッセージを監視するための手段と
をさらに備える、Ｃ２２に記載の装置。
[Ｃ２８]  前記ページ監視周期が前記構成に少なくとも部分的に基づいて１つまたは複数のブロードキャスト制御チャネル（ＢＣＣＨ）変更期間を備えると決定するための手段と、
ＢＣＣＨ変更期間に従って、前記ページングメッセージ、またはシステム情報ブロック、またはマスタ情報ブロック（ＭＩＢ）、またはそれらの組合せを監視するための手段と
をさらに備える、Ｃ２２に記載の装置。
[Ｃ２９]  システム情報メッセージ、または無線リソース制御（ＲＲＣ）メッセージ、または非アクセス層（ＮＡＳ）メッセージ、またはそれらの組合せを介して前記ページ監視周期の前記構成を受信するための手段
を備える、Ｃ２２に記載の装置。
[Ｃ３０]  前記起動信号が少なくとも１回スキップされた時間期間に少なくとも部分的に基づいて前記ページ監視周期の前記構成を識別するための手段
をさらに備える、Ｃ２２に記載の装置。
[Ｃ３１]  前記ページ監視周期と１つまたは複数の他のパラメータとの間の関係に少なくとも部分的に基づいて前記ページ監視周期の前記構成を識別するための手段
をさらに備える、Ｃ２２に記載の装置。
[Ｃ３２]  前記監視することに少なくとも部分的に基づいて前記ページ監視期間中に前記ページングメッセージを検出するための手段、ここにおいて、前記ページングメッセージが、前記受信された起動信号に少なくとも部分的に基づいて検出される、
をさらに備える、Ｃ２２に記載の装置。
[Ｃ３３]  ターゲットセルへのハンドオーバを行うための手段と、
前記ターゲットセルのためのページ監視周期、または前記ターゲットセルのための起動信号周期、または前記ターゲットセルからの受信された起動信号、またはそれらの組合せに従って前記ターゲットセルからの１つまたは複数のページングメッセージを監視するための手段と
をさらに備える、Ｃ２２に記載の装置。
[Ｃ３４]  検出されたページングメッセージに少なくとも部分的に基づいてシステム情報変更通知を識別するための手段
をさらに備える、Ｃ２２に記載の装置。
[Ｃ３５]  ワイヤレス通信のための装置であって、
ページングメッセージを監視するようにユーザ機器（ＵＥ）を構成するためのページ監視周期を決定するための手段と、
複数の起動信号のための起動信号周期を決定するための手段と、前記起動信号周期が、前記ページ監視周期以下である、
前記ＵＥに前記ページ監視周期の構成を送信するための手段と、ここにおいて、前記構成が、前記ページ監視周期と前記起動信号周期との間の関係を示す、
を備える、装置。
[Ｃ３６]  前記構成内で、前記ページ監視周期が１つまたは複数のページングオケージョン（ＰＯ）を備えるという指示を送信するための手段、ここにおいて、前記起動信号周期が、前記１つまたは複数のＰＯに対応する、
をさらに備える、Ｃ３５に記載の装置。
[Ｃ３７]  前記構成内で、前記ページ監視周期が１つまたは複数の起動信号オケージョンを備えるという指示を送信するための手段、ここにおいて、前記起動信号周期が、１つまたは複数のページングオケージョン（ＰＯ）を含むページング時間ウィンドウ（ＰＴＷ）周期に対応する、
をさらに備える、Ｃ３５に記載の装置。
[Ｃ３８]  前記構成内で、前記ページ監視周期が前記構成に少なくとも部分的に基づいて１つまたは複数の起動信号オケージョンを備えるという指示を送信するための手段、ここにおいて、前記起動信号周期が、１つまたは複数のページングオケージョン（ＰＯ）に対応する、
をさらに備える、Ｃ３５に記載の装置。
[Ｃ３９]  前記構成内で、前記ページ監視周期が１つまたは複数のブロードキャスト制御チャネル（ＢＣＣＨ）変更期間を備えるという指示を送信するための手段
をさらに備える、Ｃ３５に記載の装置。
[Ｃ４０]  システム情報メッセージ、または無線リソース制御（ＲＲＣ）メッセージ、または非アクセス層（ＮＡＳ）メッセージ、またはそれらの組合せを介して前記ページ監視周期の前記構成を送信するための手段
を備える、Ｃ３５に記載の装置。
[Ｃ４１]  前記ページングメッセージ内でシステム情報変更通知を送信するための手段
をさらに備える、Ｃ３５に記載の装置。
[Ｃ４２]  ワイヤレス通信のための装置であって、
ページ監視周期の構成を受信することと、起動信号の構成を受信することとを行うように構成された受信機と、
プロセッサと、
前記プロセッサと電子通信しているメモリと、
前記メモリに記憶され、前記装置に、
起動信号周期に少なくとも部分的に基づいて複数の起動信号の間欠監視を行うことと、
前記ページ監視周期、または前記起動信号周期、または受信された起動信号、またはそれらの組合せに従ってページ監視期間中にページングメッセージを監視することと
をさせるために前記プロセッサによって実行可能な命令と
を備える、装置。
[Ｃ４３]  ワイヤレス通信のための装置であって、
プロセッサと、
前記プロセッサと電子通信しているメモリと、
前記メモリに記憶され、前記装置に、
ページングメッセージを監視するようにユーザ機器（ＵＥ）を構成するためのページ監視周期を決定することと、
複数の起動信号のための起動信号周期を決定することと、前記起動信号周期が、前記ページ監視周期以下である、
をさせるために前記プロセッサによって実行可能な命令と、
前記ＵＥに前記ページ監視周期の構成を送信するように構成された送信機と、ここにおいて、前記構成が、前記ページ監視周期と前記起動信号周期との間の関係を示す、
を備える、装置。
[Ｃ４４]  ワイヤレス通信のためのコードを記憶する非一時的コンピュータ可読媒体であって、前記コードは、
ページ監視周期の構成を受信することと、
起動信号の構成を受信することと、
起動信号周期に少なくとも部分的に基づいて複数の起動信号の間欠監視を行うことと、
前記ページ監視周期、または前記起動信号周期、または受信された起動信号、またはそれらの組合せに従ってページ監視期間中にページングメッセージを監視することと
を行うようにプロセッサによって実行可能な命令を備える、
非一時的コンピュータ可読媒体。
[Ｃ４５]  ワイヤレス通信のためのコードを記憶する非一時的コンピュータ可読媒体であって、前記コードは、
ページングメッセージを監視するようにユーザ機器（ＵＥ）を構成するためのページ監視周期を決定することと、
複数の起動信号のための起動信号周期を決定することと、前記起動信号周期が、前記ページ監視周期以下である、
前記ＵＥに前記ページ監視周期の構成を送信することと、ここにおいて、前記構成が、前記ページ監視周期と前記起動信号周期との間の関係を示す、
を行うようにプロセッサによって実行可能な命令を備える、
非一時的コンピュータ可読媒体。